(57)【特許請求の範囲】
【請求項１】
ライター本体の上部両側に突設された支柱の間に、発火石に当接するヤスリ車と、このヤスリ車より拡径でかつヤスリ車の両側に固定される回転操作用の横車とを一体に回動可能に支持してなり、前記発火石と前記ヤスリ車との摩擦により生じる着火粉により、ガス噴出ノズルから噴出する燃料ガスに着火する構成のライターにおいて、
前記ライター本体の上部に装着され、前記ガス噴出ノズルの周囲を覆う風防キャップと、この風防キャップから延出して前記ヤスリ車の上部を覆うカバーとを備え、前記横車の内側に前記カバーの一部を係止するストッパ部を形成したことを特徴とするライター。
【発明の詳細な説明】
【０００１】
【発明の属する技術分野】
本発明は、発火石とヤスリ車との摩擦により生じる着火粉により、ガス噴出ノズルから噴出する燃料ガスに着火するシガレットライターに係り、特に使用者の指がヤスリ車に接触しないように、ヤスリ車の上部を覆うカバーを備えたライターに関する。
【０００２】
【従来の技術】
従来、特開平１１−２３０５４７号公報に記載されているライターにおけるヤスリ車操作装置のように、ヤスリ車の上部をカバーにて覆い、使用者が指で横車を回転させる際に、指がヤスリ車に接触して汚れたり、ライターの落下時にヤスリ車が外部の物と衝突して損傷を生じたりすることを防止するようにしたものがある。
【０００３】
【発明が解決しようとする課題】
しかし、特開平１１−２３０５４７号公報に記載されているライターは、ヤスリ車の上部をカバーにて覆うために、ライター本体上部の支柱間にヤスリ車および横車を保持させる組立、およびその構造などが従来に比べて複雑になり、製造コストの面で問題があるといえる。
【０００４】
本発明の目的は、前記従来の課題を解決し、ヤスリ車の上部をカバーにて覆うための構造が簡潔であって、従来と同様な組立が行えるライターを提供することにある。
【０００５】
【課題を解決するための手段】
前記目的を達成するため、本発明は、ライター本体の上部両側に突設された支柱の間に、発火石に当接するヤスリ車と、このヤスリ車より拡径でかつヤスリ車の両側に固定される回転操作用の横車とを一体に回動可能に支持してなり、前記発火石と前記ヤスリ車との摩擦により生じる着火粉により、ガス噴出ノズルから噴出する燃料ガスに着火する構成のライターにおいて、前記ライター本体の上部に装着され、前記ガス噴出ノズルの周囲を覆う風防キャップと、この風防キャップから延出して前記ヤスリ車の上部を覆うカバーとを備え、前記横車の内側に前記カバーの一部を係止するストッパ部を形成したことを特徴とするものである。
【０００６】
そして、前記構成にしたことによって、カバーを設置するための構造として、横車の内側にストッパ部を形成し、このストッパ部に係止するように、風防キャップにカバーを形成すればよく、複雑な加工を追加する必要がなく、また組立も、従来と同様にライター本体の支柱間で、横車とヤスリ車とのユニット体を保持し、その後、カバーでヤスリ車の上部を覆うように、風防キャップをライター本体の上部に装着することによって容易に完了する。
【０００７】
【発明の実施の形態】
以下、本発明の好適な実施形態について図面を参照しながら説明する。
【０００８】
図１は本発明の実施形態を説明するためのガスライターの全体斜視図、図２は本実施形態におけるガスライターの要部を示す断面図、図３は本実施形態におけるガスライターの要部の分解斜視図である。
【０００９】
図１〜図３において、１は液化ガス燃料が貯蔵されているプラスチック製の燃料タンク部、２は燃料タンク部１の上部に固定されたライター本体としてのプラスチック製の固定ブロック、３は、固定ブロック２に固定され、燃料タンク部１内に設けられた開閉弁（図示せず）に連通する金属製のガス噴出ノズル、５は、一端が使用者の指で押下される指圧片６であり、また他端がガス噴出ノズル３に係合し、ガス噴出ノズル３を上昇させることにより開閉弁を開弁させるノズル操作部７となっているプラスチック製の操作部材、８は、固定ブロック２におけるガス噴出ノズル３の周囲を被い、かつ上部に火口９が形成された金属製の風防キャップである。
【００１０】
固定ブロック２には上部両側に一対の支柱１０が相対向して突設され、支柱１０間で、図２に示すように発火石１１に当接するヤスリ車１２と、このヤスリ車１２より拡径でヤスリ車１２の両側に固定される回転操作用の横車１３とを、一体に回動可能に支持している。さらに支柱１０は、操作部材５の中央部を回動可能に支持している。
【００１１】
前記風防キャップ８はヤスリ車１２側がカバー１５として延出しており、また横車１３の内側には、ヤスリ車１２よりも拡径で、かつ円盤状に突出させてストッパ部として段部１６を形成してある。これにより、図２に示すように、風防キャップ８をノズル３の周囲を覆うために固定ブロック２に装着し、かつ風防キャップ８のカバー１５をヤスリ車１２の上部を覆うように配置すると、カバー１５の一部が横車１３の段部１６に係止されて位置決めされ、カバー１５がヤスリ車１２に接触することを防ぐことができる。
【００１２】
前記ライターの着火機構における組立方法を図３を参照して説明する。まず、操作部材５のノズル操作部７をガス噴出ノズル３に嵌合させて、操作部材５の支持軸部５ａを固定ブロック２の支柱１０に設けられている下部受け孔部１０ａに対して装着する。その後、ヤスリ車１２の両側に横車１３を固定して一体化されているユニット体１７の支持軸１３ａを、支柱１０に設けられている上部受け孔部１０ｂに対して装着する。そして、風防キャップ８のカバー１５をヤスリ車１２の上部を覆うように配置し、風防キャップ８をノズル３の周囲を覆うために固定ブロック２に装着することによって組立が完了する。
【００１３】
次に、使用方法を説明する。この種のライターを使用する場合と同様に、使用者が指で横車１３を回すと、ヤスリ車１２が回転して発火石１１を削ることによって着火粉が発生する。これ以前に操作部材５における指圧片６が使用者の指で押されることで、操作部材５が回動して、操作部材５におけるノズル操作部７がガス噴出ノズル３を上昇させることにより、燃料ガスが噴出しており、前記着火粉が燃料ガスに着火して、燃焼炎が風防キャップ８の火口９から外部に生成される。
【００１４】
本実施形態では、使用者の前記着火操作の際に、使用者の指は、カバー１５の存在によってヤスリ車１２に接触しないため、ヤスリ車１２の残留発火石などによって汚れるようなことはなく、またカバー１５の存在により、ライター落下時にヤスリ車１２が物に直接当接して破損することを防ぐことができる。
【００１５】
【発明の効果】
以上説明したように、本発明に係るライターによれば、ヤスリ車の上部を被覆するカバーを設置する構造として、横車の内側にストッパ部を形成し、このストッパ部に係止するように、風防キャップにヤスリ車の上部を覆うカバーを形成すればよいため、従来に比べて特段複雑な加工を追加する必要がなく、また組立も、従来と同様にして容易に行うことができるなど、ヤスリ車を覆うカバーを備えたライターを低コストで製造することができる。
【図面の簡単な説明】
【図１】本発明の実施形態を説明するためのガスライターの全体斜視図
【図２】本実施形態におけるガスライターの要部を示す断面図
【図３】本実施形態におけるガスライターの要部の分解斜視図
【符号の説明】
１  燃料タンク部
２  固定ブロック
３  ガス噴出ノズル
５  操作部材
８  風防キャップ
１０  支柱
１１  発火石
１２  ヤスリ車
１３  横車
１５  カバー
１６  段部
１７  ユニット体
【図１】
0003613766.tif 000002
【図２】
0003613766.tif 000003
【図３】
0003613766.tif 000004